(57)【要約】 【課題】  キセノンランプと蓄光材料を利用し、これに反射鏡を使用した標示ランプの例は種々発表されているがいずれも実装状態で近距離での上下左右方向の見え方を満足するには拡散光が不足し、特に左右方向の拡散について対応できていない。【解決手段】   本発明では、上下拡散をレンズで対応し、左右拡散については拡散角度を大きくとる必要から蓄光層を備えた弓状反射鏡を採用した。弓状反射鏡は中心部より左右方向に従い軸方向断面の円弧を大きくしたもので左右先端部からの拡散光は標示ランプの略々側方向に放射され、その結果遠距離での明るさを損なうことなく近距離での見え方の改善を図った。【選択図】      図１
2007305562.tif 000002
【特許請求の範囲】
【請求項１】
キセノンランプを光源とするランプ装置に於いて、キセノンランプを中心とし、その前面には、キセノンランプと平行に配列された凸レンズ素子群が設けられ、キセノンランプの後方にはキセノンランプの軸方向断面が円弧状で、且つ中央部より左右方向に行くにしたがい円弧状の断面が大きくなる弓状反射鏡があり、キセノンランプは弓状反射鏡の長手方向に沿った円弧状の略々中心となる焦点軸に設置され、前記弓形反射鏡の内面には蓄光層を備えていることを特徴とした標示ランプ。                
【発明の詳細な説明】
【技術分野】
【０００１】
本発明は、キセノンランプからなる光源と蓄光材を付与した反射鏡とを効果的に組み合わせ、見え方の良い標示ランプを提供することにある。                        
【背景技術】
【０００２】
従来、キセノンランプからの閃光を利用し、蓄光性材料に照射し励起光を発生させ、この光を標示ランプとして利用した例が多く紹介されている。利用方法としては、半透過の蓄光性材料にキセノンランプの閃光を照射、蓄光性材料の励起光を残光として利用する方法や蓄光材を付与したスリーブや板状鏡などにキセノンランプの閃光を照射、閃光や励起光と残光を利用する例などがある。      
【特許文献１】特開２００４−６２５５
【発明の開示】
【発明が解決しようとする課題】
【０００３】
しかしながら、キセノンランプを光源とした場合、いずれの方式も標示ランプとして、遠距離目印ランプや周囲に緊急性を報知するランプとして優れているが、キセノンランプが瞬時点灯のため人間の眼が追従できない等の視認性の問題解消にはまだ至っていない。更に標示ランプとして実装した場合上下左右配光、特に左右方向の拡散光が不足することによる近距離での視認性を解決する必要がある。
【０００４】
このようなことから本標示ランプの配光は、遠方照射に加え上下方向の拡散光が得られ、実装時での遠距離から近距離まで視認でき、左右方向にも拡散光が到達し十分視認できる配光にしなければならない。
本発明では、上下拡散をレンズにより対応し左右拡散については拡散角度を大きく必要とすることから特殊な曲率を有する反射鏡を使用し、レンズの拡散光を反射鏡の拡散光で補う合成光により視認性の向上を図るものである。                      
【課題を解決するための手段】
【０００５】
本発明は、上述した点に鑑みたもので、ケース状をなす標示ランプ１，の前面レンズ２，には、前面レンズ個々の形状に対応させた凸レンズ素子の集合体から成る透明な凸レンズ素子群２a,が、キセノンランプ３，に平行に設けられている。又前記キセノンランプ３，の後方には弓状反射鏡４，がある。該弓状反射鏡４，は、長手方向の略々焦点軸にキセノンランプ３，が設置され、弓状反射鏡４，の形状は中心部より左右方向へ行くに従い焦点軸と直角方向断面の円弧が大きくなる。弓状反射鏡４，には微細気泡ＰＥＴ材や酸化チタン入りプラスチック材等の白色反射部材８，を介し蓄光顔料を使った蓄光層５，が設けられている。上記キセノンランプ３，から放射される閃光３a,を前記蓄光層５，が乱反射し励起光６，を放射する、キセノンランプ３，の長手方向に沿って両端近傍では、励起光６，は弓形反射鏡４，により左右方向を主体に上下方向にも拡散することになる。又キセノンランプ３，からの閃光３a,と励起光６，は合成光７，となり実効光度の増加にも寄与する。    
【発明の効果】
【０００６】
本発明は、以上説明したように、キセノンランプ３，の前方向にある前面レンズ２，に設けられた凸レンズ素子群２a,によりキセノンランプ３，の閃光と白色反射部材８，蓄光層５，を備えた弓状反射鏡４，から放射される励起光６，が合成光７，となり前面レンズ２，を輝かすものである。又弓状反射鏡４，は左右方向に光を拡散させる目的から中心部より左右方向に行くにしたがい軸方向断面の円弧が大きくなり励起光６，は左右先端部では、大きく左右上下に拡散し、凸レンズ素子群２a,を助ける役目をする。
特に前面レンズ２，の形状によっては弓状反射鏡４，と前面レンズ２，との間の距離が短くなるものもあり、同じレンズ作用を持つ同一レンズ素子群２a,では拡散が不足することになり弓状反射鏡４，の持つ形状は上下拡散を補助する有効な手段となる。この結果励起光６，の残光性と併せて遠距離での視認性に有効となる光度は損なうことなく、キセノンランプの閃光と閃光の間を励起光が補う眼が追従しやすい近距離でも視認性の良い標示ランプが提供できる。                            
【発明を実施するための最良の形態】
【０００７】
以下、本発明の標示ランプにおける一実施例について、図２を参照しながら説明する。
【０００８】
図２は、本発明の詳細を示すもので、前面レンズ２，には凸レンズ素子群２a,がある、キセノンランプ３，の後方向には弓状反射鏡４，があり、該弓状反射鏡４，には蓄光層５，と蓄光層の反射を助けるための白色反射部材８，がある。又前記弓状反射鏡４，はキセノンランプ３，を中心として同芯同軸上に左右に進むに従って円弧状の断面積が大きくなるよう設定されている。従って弓状反射鏡４，により反射する励起光６，は前記弓状反射鏡４，の端部分では略々９０°近く反射することになる。
尚前面レンズ２，の形状によりキセノンランプ３，と前面レンズ２，間距離が異なるものがあり同一凸レンズ素子群では同じ拡散光は得られない。図２のＬ１はレンズ中心部と弓状反射鏡間距離、Ｌ２はレンズ側面と弓状反射鏡間を示すもので距離の違いから同一凸レンズ素子群ではＬ２の拡散が不足する。したがってレンズ側面では弓状反射鏡４，の略々両端からの反射光により拡散光を補完するものである。
【図面の簡単な説明】
【０００９】
【図１】図１は、標示ランプ１，の外形を示したもので、中心にキセノンランプ３，が、又その前方向に丸形透明レンズ２，と凸レンズ素子群２a,があり、又後方向には蓄光層５，及び白色反射部材８，付き弓状反射鏡４，がある。そしてキセノンランプ３，を駆動する駆動回路９，を備えたものである。
【図２】図２は、矩形標示ランプへの応用実施例として各部材の配置を示し、側面図は凸レンズ素子をキセノンランプ３，と平行に配列された凸レンズ素子群２a,から成る前面レンズ２，を示したものである。
【図３】図３は、弓形反射鏡４，の形状の一例を示したもので右側面図のＲ１は、弓状反射鏡の略々円弧状であることを示し、下面図の弓状反射鏡のＲ２は前記Ｒ１と共に前面レンズの形状や凸レンズ素子の拡散光の設定により変わる。弓状反射鏡の断面は複数の曲線Ｒや複数の直線の組み合わせを含む。
【符号の説明】
【００１０】
１        標示ランプ                    
２        前面レンズ                    
２a       凸レンズ素子群
３        キセノンランプ
３a       閃光
４        弓状反射鏡
５        蓄光層
６        励起光
７        合成光
８        白色反射部材
９        駆動回路
【図１】
2007305562.tif 000003
【図２】
2007305562.tif 000004
【図３】
2007305562.tif 000005